(57)【要約】【課題】既に大径穴が形成された衣服に、ごく簡単な作業で取り付けることが可能な冷却衣服用ファン装置の大径穴用アダプターを提供する。【解決手段】  冷却衣服用ファン装置３の切欠き部７ｆと切欠き部９ｄを大径穴用アダプター１の保持凸部１９に対向させる。次いで、冷却衣服用ファン装置３を設置部１７ｅに向かって移動させ、切欠き部７ｆと切欠き部９ｄに保持凸部１９を通して、フランジ９ｃを設置部１７ｅに当接させる。次に、冷却衣服用ファン装置３を反時計回りの方向へ回す。これより、嵌合凸部７ｇが嵌合凹部１９ａに嵌り込み、冷却衣服用ファン装置３が大径穴用アダプター１に固定される。また、ストッパ凸部７ｈが保持凸部１９の側面に当接するので、冷却衣服用ファン装置３が反時計回りの方向へ回動するのが規制される。【選択図】  図９
2018131716.tif 000002
【特許請求の範囲】
【請求項１】
回転駆動するファンを収容して、一端側に空気吸込口を有し、他端側に空気吹出口を有する収容体を備えており、前記収容体は前記空気吸込口が設けられた吸込口側部材と、前記空気吹出口が設けられた吹出口側部材とから成り、前記吸込口側部材と前記吹出口側部材の一方が他方に嵌合して連結される嵌合状態と前記吸込口側部材と前記吹出口側部材とに分割される分割状態とする収容体用連結手段を具備し、衣服の穴の周辺部を嵌合状態となった吸込口側部材と吹出口側部材によって挟持することにより、前記収容体を衣服に取り付ける冷却衣服用ファン装置を、前記衣服の穴より大きい大径穴に取り付けるための冷却衣服用ファン装置の大径穴用アダプターであって、
前記吸込口側部材の空気吸込口が露出する開口が備えられた外側部材と、前記空気吹出口が露出する開口が備えられた内側部材と、前記外側部材と前記内側部材の一方が他方に嵌合して連結される嵌合状態と前記外側部材と前記内側部材とに分割される分割状態とするアダプター用連結手段と、前記冷却衣服用ファン装置を大径穴用アダプターに対し着脱可能に保持させる保持手段を具備しており、衣服の大径穴の周辺部を嵌合状態となった外側部材と内側部材によって挟持して、前記衣服に取り付けることを特徴とする冷却衣服用ファン装置の大径穴用アダプター。
【請求項２】
請求項１に記載した大径穴用アダプターにおいて、保持手段は、冷却衣服用ファン装置を保持した状態で前記冷却衣服用ファン装置の回動を規制する回動規制手段を具備していることを特徴とする大径穴用アダプター。
【請求項３】
請求項１または２に記載した大径穴用アダプターにおいて、保持手段は、吸込口側部材の開口の周辺に設けられ、冷却衣服用ファン装置の空気吸込口側の縁部が設置する設置部と、前記設置部に隙間を開けて対向し、前記冷却衣服用ファン装置の縁部を保持する保持凸部によって構成されていることを特徴とする大径穴用アダプター。
【請求項４】
請求項３に記載した大径穴用アダプターにおいて、保持手段は、冷却衣服用ファン装置の空気吸込口側の縁部に互いに間隔を開けて形成された複数の切欠き部と、前記縁部の上面に形成された複数の嵌合凸部と、吸込口側部材の保持凸部の設置部に対向する側の面に形成され、前記嵌合凸部が嵌合する嵌合凹部とによって構成されており、前記切欠き部を前記保持凸部に対応させた状態で前記縁部を設置部に向って移動させて前記縁部を設置部に設置させ、更に冷却衣服用ファン装置を回動させることで、前記嵌合凸部を前記嵌合凹部に嵌合させて、冷却衣服用ファン装置を大径穴用アダプターに固定することを特徴とする大径穴用アダプター。
【請求項５】
請求項４に記載した大径穴用アダプターにおいて、回動規制手段は、縁部の嵌合凸部が嵌合凹部に嵌合した状態で、保持凸部の側面に当接するストッパ凸部によって構成されていることを特徴とする大径穴用アダプター。
【請求項６】
請求項１から５のいずれかに記載した大径穴用アダプターにおいて、吸込口側部材と吹出口側部材にはフランジがそれぞれ設けられており、前記フランジによって衣服の穴の周辺部が挟持されることを特徴とする大径穴用アダプター。
【発明の詳細な説明】
【技術分野】
【０００１】
本発明は冷却衣服用ファン装置の大径穴用アダプターに関するものである。
【背景技術】
【０００２】
特許文献１に示されている冷却衣服は、身頃等に穴を形成し、この穴に冷却衣服用ファン装置を取り付けて構成されている。そして、冷却衣服用ファン装置によって外気を衣服の内部に取り込むことで、この冷却衣服を装着する者の体を冷却するものである。衣服に開ける穴は冷却衣服用ファン装置のサイズに応じて形成されることになるので、この衣服に異なるサイズの冷却衣服用ファン装置を取り付けることはできない。
冷却衣服用ファン装置は改良が行われており、より小型軽量で、しかも風力の強い新型のものが開発されている。
【先行技術文献】
【特許文献】
【０００３】
【特許文献１】特開２００５−５４２９９号公報
【発明の概要】
【発明が解決しようとする課題】
【０００４】
しかしながら、衣服に穴を形成してしまうと、この穴に対応した冷却衣服用ファン装置より小型のものは装着することができず、新型の冷却衣服用ファン装置に交換することができない。小径穴が形成されたシートを別途用意して、衣服の大径穴を覆うように取り付けて、このシートの小径穴に新型の冷却衣服用ファン装置を取り付けることも考えられるが、シートを衣服に取り付ける作業はかなり面倒であるという問題がある。
本発明は上記従来の問題点に着目して為されたものであり、既に大径穴が形成された衣服に、ごく簡単な作業で取り付けることが可能な冷却衣服用ファン装置の大径穴用アダプターの提供を、その目的とする。
【課題を解決するための手段】
【０００５】
本発明は上記課題を解決するためになされたものであり、請求項１の発明は、回転駆動するファンを収容して、一端側に空気吸込口を有し、他端側に空気吹出口を有する収容体を備えており、前記収容体は前記空気吸込口が設けられた吸込口側部材と、前記空気吹出口が設けられた吹出口側部材とから成り、前記吸込口側部材と前記吹出口側部材の一方が他方に嵌合して連結される嵌合状態と前記吸込口側部材と前記吹出口側部材とに分割される分割状態とする収容体用連結手段を具備し、衣服の穴の周辺部を嵌合状態となった吸込口側部材と吹出口側部材によって挟持することにより、前記収容体を衣服に取り付ける冷却衣服用ファン装置を、前記衣服の穴より大きい大径穴に取り付けるための冷却衣服用ファン装置の大径穴用アダプターであって、前記吸込口側部材の空気吸込口が露出する開口が備えられた外側部材と、前記空気吹出口が露出する開口が備えられた内側部材と、前記外側部材と前記内側部材の一方が他方に嵌合して連結される嵌合状態と前記外側部材と前記内側部材とに分割される分割状態とするアダプター用連結手段と、前記冷却衣服用ファン装置を大径穴用アダプターに対し着脱可能に保持させる保持手段を具備しており、衣服の大径穴の周辺部を嵌合状態となった外側部材と内側部材によって挟持して、前記衣服に取り付けることを特徴とする冷却衣服用ファン装置の大径穴用アダプターである。
【０００６】
請求項２の発明は、請求項１に記載した大径穴用アダプターにおいて、保持手段は、冷却衣服用ファン装置を保持した状態で前記冷却衣服用ファン装置の回動を規制する回動規制手段を具備していることを特徴とする大径穴用アダプターである。
【０００７】
請求項３の発明は、請求項１または２に記載した大径穴用アダプターにおいて、保持手段は、吸込口側部材の開口の周辺に設けられ、冷却衣服用ファン装置の空気吸込口側の縁部が設置する設置部と、前記設置部に隙間を開けて対向し、前記冷却衣服用ファン装置の縁部を保持する保持凸部によって構成されていることを特徴とする大径穴用アダプターである。
【０００８】
請求項４の発明は、請求項３に記載した大径穴用アダプターにおいて、保持手段は、冷却衣服用ファン装置の空気吸込口側の縁部に互いに間隔を開けて形成された複数の切欠き部と、前記縁部の上面に形成された複数の嵌合凸部と、吸込口側部材の保持凸部の設置部に対向する側の面に形成され、前記嵌合凸部が嵌合する嵌合凹部とによって構成されており、前記切欠き部を前記保持凸部に対応させた状態で前記縁部を設置部に向って移動させて前記縁部を設置部に設置させ、更に冷却衣服用ファン装置を回動させることで、前記嵌合凸部を前記嵌合凹部に嵌合させて、冷却衣服用ファン装置を大径穴用アダプターに固定することを特徴とする大径穴用アダプターである。
【０００９】
請求項５の発明は、請求項４に記載した大径穴用アダプターにおいて、回動規制手段は、縁部の嵌合凸部が嵌合凹部に嵌合した状態で、保持凸部の側面に当接するストッパ凸部によって構成されていることを特徴とする大径穴用アダプターである。
【００１０】
請求項６の発明は、請求項１から５のいずれかに記載した大径穴用アダプターにおいて、吸込口側部材と吹出口側部材にはフランジがそれぞれ設けられており、前記フランジによって衣服の穴の周辺部が挟持されることを特徴とする大径穴用アダプターである。
【発明の効果】
【００１１】
本発明の大径穴用アダプターを用いれば、既に大径穴が形成された衣服に、ごく簡単な作業で冷却衣服用ファン装置を取り付けることが可能となる。
【図面の簡単な説明】
【００１２】
【図１】本発明の実施の形態に係る大径穴用アダプターと冷却衣服用ファン装置の分解斜視図である。
【図２】図１の冷却衣服用ファン装置の平面図である。
【図３】図１の冷却衣服用ファン装置の斜視図である。
【図４】図１の大径穴用アダプターの外側部材の平面図である。
【図５】図１の大径穴用アダプターの外側部材の斜視図である。
【図６】図１の冷却衣服用ファン装置を衣服に取り付けた状態の側面図である。
【図７】図１の大径穴用アダプターに冷却衣服用ファン装置を取り付ける作業を説明するための平面図である。
【図８】図１の大径穴用アダプターに冷却衣服用ファン装置を取り付ける作業を説明するための側面図である。
【図９】図１の大径穴用アダプターを用いて冷却衣服用ファン装置を衣服に取り付けた状態の側面図である。
【発明を実施するための形態】
【００１３】
本発明の実施の形態に係る大径穴用アダプター１を図面にしたがって説明する。
まず、冷却衣服用ファン装置３の構成を説明する。
符号５は収容体を示し、この収容体５は略椀型の本体部７、この本体部７の開口７ａを覆う蓋体９によって構成されている。本体部７にはファン１１が収容されている。ファン１１は図示しないモータによって回転駆動するようになっている。
本体部７によって吹出口側部材が構成され、蓋体９によって吸込口側部材が構成されている。
【００１４】
本体部７の開口７ａに対向する側には網部７ｂによって覆われた空気吹出口７ｃが設けられている。また、本体部７の網部７ｂと開口７ａとの間には、筒状部７ｉが設けられ、この筒状部７ｉの内周面には雌ネジ７ｄが形成されている。また、開口７ａの外周部にはフランジ７ｅが設けられており、このフランジ７ｅには３つの切欠き部７ｆが形成されている。これらの切欠き部７ｆは等間隔に配置されている。
【００１５】
フランジ７ｅの網部７ｂ側の面には３つの嵌合凸部７ｇが設けられ、切欠き部７ｆの間に互いに等間隔を開けて配置されている。また、３つの嵌合凸部７ｇの図２において時計回りの方向の隣には、ストッパ凸部７ｈが設けられている。嵌合凸部７ｇは、高さ寸法の小さいほぼ蒲鉾形を為している。また、ストッパ凸部７ｈは嵌合凸部７ｇより高さ寸法の大きいほぼ蒲鉾形を為している。
【００１６】
蓋体９には網部９ａによって覆われた空気吸込口９ｂが設けられ、この空気吸込口９ｂの外周部にはフランジ９ｃが形成されている。フランジ９ｃには３つの切欠き部９ｄが形成され、これらの切欠き部９ｄはフランジ７ｅの切欠き部７ｆに対応するように配置されている。また、蓋体９には筒状部９ｅが設けられ、この筒状部９ｅには雄ネジ９ｆが形成されている。
フランジ７ｅとフランジ９ｃによって縁部が構成されている。また、本体部７の雌ネジ７ｄと蓋体９の雄ネジ９ｆによって収容体用連結手段が構成されている。
【００１７】
冷却衣服用ファン装置３の大径穴用アダプター１の構成を説明する。
符号１７は外側部材を示し、この外側部材１７は筒状部１７ａを有している。筒状部１７ａの外周面には雄ネジ１７ｂが形成されている。また、筒状部１７ａの一端側にはフランジ１７ｃが設けられ、このフランジ１７ｃは筒状部１７ａの開口１７ｆの外側だけでなく内側へも突出しており、フランジ１７ｃの内側への突出部分が設置部１７ｅとなっている。この設置部１７ｅによって囲まれる領域に開口１７ｆが形成されている。
【００１８】
筒状部１７ａの内周面には３つの保持凸部１９が形成され、これらの保持凸部１９はフランジ７ｅの切欠き部７ｆとフランジ９ｃの切欠き部９ｄに対応するように配置されている。保持凸部１９の設置部１７ｅに対応する側の面には嵌合凹部１９ａが形成されている。嵌合凹部１９ａは嵌合凸部７ｇがぴったり嵌る形状を為している。
嵌合凸部７ｇと保持凸部１９の嵌合凹部１９ａによって保持手段が構成されている。また、ストッパ凸部７ｈと保持凸部１９によって回動規制手段が構成されている。
【００１９】
符号２１は内側部材を示し、この内側部材２１は筒状部２１ａを有し、この筒状部２１ａの内周面には雌ネジ２１ｂが形成されている。また、筒状部２１ａの一端側にはフランジ２１ｃが設けられている。フランジ２１ｃによって囲まれる領域に開口２１ｄが形成されている。
外側部材１７の雄ネジ１７ｂと内側部材２１の雌ネジ２１ｂによってアダプター用連結手段が構成されている。
符号２３は布製の補強部材を示し、この補強部材２３は中央に収容体５を構成する本体部７の筒状部７ｉがぴったり嵌る穴２３ａが形成されている。補強部材２３の片面には加熱すると布に接着する接着剤層が形成されている。
【００２０】
次に、冷却衣服用ファン装置３を衣服の穴に取り付ける方法を説明する。
まず、冷却衣服用ファン装置３を衣服に新規に穴を形成して、この穴に取り付ける場合を説明する。
図６に示すように、衣服Ｃに冷却衣服用ファン装置３に合うサイズの穴Ｈを開ける。そして、補強部材２３を穴Ｈの衣服Ｃの内側の周辺部に宛がい、穴Ｈと穴２３ａとを対応させ、その状態で補強部材２３にアイロンを当てて加熱する。これにより、補強部材２３を衣服Ｃに固定する。
【００２１】
次いで、蓋体９の筒状部９ｅを衣服Ｃの外側から穴２３ａ、穴Ｈへ通して、筒状部９ｅを穴Ｈから突出させる。そして、本体部７を衣服Ｃの内側に備えて、雌ネジ７ｄを筒状部９ｅの雄ネジ９ｆに螺合する。次に、本体部７を回して図６に示すように雄ネジ９ｆを雌ネジ７ｄに対し締めてフランジ９ｃとフランジ７ｅによって衣服Ｃ、補強部材２３を挟持する。これにより、冷却衣服用ファン装置３を衣服Ｃに取り付ける。
【００２２】
冷却衣服用ファン装置３より大型の冷却衣服用ファン装置が取り付けられ、これを冷却衣服用ファン装置３に交換する方法を説明する。
まず、図示しない大型の冷却衣服用ファン装置を衣服Ｃｂから外す。図７、図９に示すように穴Ｈより大径の大型の冷却衣服用ファン装置用の穴Ｈｂが開けられ、大径穴Ｈｂ用の補強部材２５が取り付けられた状態となっている。補強部材２５に大径穴２５ａが形成されている。
外側部材１７と内側部材２１とに分割される分割状態にしておく。そして、外側部材１７の筒状部１７ａを衣服Ｃｂの外側から大径穴２５ａ、大径穴Ｈｂへ通して、筒状部１７ａを大径穴Ｈｂから突出させる。次いで、内側部材２１を衣服Ｃｂの内側に備えて、雌ネジ２１ｂを筒状部１７ａの雄ネジ１７ｂに螺合して、外側部材１７と内側部材２１を嵌合状態とする。次に、内側部材２１を回して図９に示すように雄ネジ１７ｂを雌ネジ２１ｂに対し締めて、フランジ１７ｃとフランジ２１ｃによって衣服Ｃｂ、補強部材２５を挟持する。これにより、大径穴用アダプター１を衣服Ｃｂに取り付ける。
【００２３】
冷却衣服用ファン装置３を大径穴用アダプター１に取り付ける作業を説明する。
本体部７の雌ネジ７ｄに蓋体９の雄ネジ９ｆを螺合させて、フランジ７ｅの切欠き部７ｆとフランジ９ｃの切欠き部９ｄとが対向するように、本体部７に蓋体９を取り付ける。
そして、切欠き部７ｆと切欠き部９ｄを大径穴用アダプター１の保持凸部１９に対向させる。次いで、図７に示すように、冷却衣服用ファン装置３を設置部１７ｅに向かって移動させ、切欠き部７ｆと切欠き部９ｄに保持凸部１９を通して、フランジ９ｃを設置部１７ｅに当接させる。次に、冷却衣服用ファン装置３を同図において矢印で示すように反時計回りの方向へ回す。これより、図８に示すように嵌合凸部７ｇが嵌合凹部１９ａに嵌り込み、冷却衣服用ファン装置３が大径穴用アダプター１に固定される。また、ストッパ凸部７ｈが保持凸部１９の側面に当接するので、冷却衣服用ファン装置３が反時計回りの方向へ回動するのが規制される。
大径穴用アダプター１に冷却衣服用ファン装置３が固定された状態では、開口１７ｆから空気吸込口９ｂが露出し、開口２１ｄから空気吹出口７ｃが露出する状態となる。
このように、大径穴用アダプター１を用いれば、既に大径穴が形成された衣服Ｃｂに、小型の冷却衣服用ファン装置３をごく簡単な作業で取り付けることが可能となる。
【００２４】
以上、本発明の実施の形態について詳述してきたが、具体的構成は、この実施の形態に限られるものではなく、本発明の要旨を逸脱しない範囲における設計の変更などがあっても発明に含まれる。
例えば、収容体用連結手段は雌ネジと雄ネジによるネジ結合に限定されず、嵌合によって連結する構成としてもよい。
また、アダプター用連結手段は雌ネジと雄ネジによるネジ結合に限定されず、嵌合によって連結する構成としてもよい。
【産業上の利用可能性】
【００２５】
本発明の大径穴用アダプターは、冷却衣服製造業において利用可能性を有する。
【符号の説明】
【００２６】
１…大径穴用アダプター      ３…冷却衣服用ファン装置      ５…収容体
７…本体部          ７ａ…開口        ７ｂ…網部      ７ｃ…空気吹出口
７ｄ…雌ネジ        ７ｅ…フランジ    ７ｆ…切欠き部  ７ｇ…嵌合凸部
７ｈ…ストッパ凸部  ９…蓋体          ９ａ…網部      ９ｂ…空気吸込口
９ｃ…フランジ      ９ｄ…切欠き部    ９ｅ…筒状部    ９ｆ…雄ネジ
１１…ファン        １７…外側部材    １７ａ…筒状部  １７ｃ…フランジ
１７ｅ…設置部      １７ｆ…開口      １９…保持凸部  １９ａ…嵌合凹部
２１…内側部材      ２１ａ…筒状部    ２１ｂ…雌ネジ  ２１ｃ…フランジ
２１ｄ…開口        ２３…補強部材    ２３ａ…穴      ２５…補強部材
２５ａ…大径穴
Ｃ…衣服            Ｃｂ…衣服        Ｈ…衣服の穴    Ｈｂ…衣服の大径穴
【図１】
2018131716.tif 000003
【図２】
2018131716.tif 000004
【図３】
2018131716.tif 000005
【図４】
2018131716.tif 000006
【図５】
2018131716.tif 000007
【図６】
2018131716.tif 000008
【図７】
2018131716.tif 000009
【図８】
2018131716.tif 000010
【図９】
2018131716.tif 000011